(57)【要約】【課題】従来、一層階ごとの型枠組み、解体であるが、型枠組みを全て完了してコンクリートを連続して注入する。その型枠を下地胴縁として利用が出来る打ち込み型枠と断熱壁工法。【解決手段】木材を凸溝加工した、溝加工部材(1)、を複数組み合わせた型枠(2)、有孔型枠(3)、コンクリート注入孔付き型枠(4)、覗き窓付き型枠(5)、補助材、仮設資材等を利用して常法どおり複数階の型枠組みを終了し、コンクリート（14）を複数階連続注入する。凝固乾燥後仮設材を取り外せば、型枠はコンクリート(14)と一体の化粧板壁となり、仕上げの下地胴縁となる。打ち込み型枠のもつ断熱の特性を生かした軽微な室内外断熱壁を可能にする。外型枠に断熱材（20）を付け加えて張ることで、より優れた外断熱壁が得られる。また、型枠の溝(8)は電気の配線ダクト、空気層、ナット締めスペース等となる。【選択図】  図1
2005036631.tif 000002
【特許請求の範囲】
【請求項１】
木材を凸溝加工した、溝加工部材(1)を複数組み合わせた型枠(2)、セパレーター孔(9)を複数設けた有孔型枠(3)、コンクリート(14)を注入するためのコンクリート注入孔(6)を設けたコンクリート注入孔付き型枠(4)、コンクリート(14)の注入状況を確認することの出来る覗き窓(7)を設けた覗き窓付き型枠(5)を用いて、一棟全て複数階の型枠組みを終了させて、複数階連続でコンクリート(14)の注入を可能にした。コンクリート打ち込み型枠と工法。
【請求項２】
型枠の溝(8)にステーブル(18)をもって型枠を貫通突出させることで、コンクリート(14)を注入後、凝固乾燥すれば型枠はコンクリート(14)と一体となり、強固な化粧板壁となる。また、仕上げ材の下地胴縁となる。木材は熱伝導率が低いので室内外の簡易な断熱壁となる。その工法。
【請求項３】
型枠に設けられた溝(8)が通気孔となり型枠及び仕上げ材の保護空気層となる。その溝(8)を配線ダクトとして電気配線等をする。保護空気層と配線ダクトの工法。
【請求項４】
外型枠のコンクリート(14)面に断熱材(20)を付け加えて張ることでコンクリート(14)を注入すると寒冷地にも対応する外断熱壁となる。以上の如く構成されたコンクリート壁の外断熱壁工法。
【請求項５】
型枠の溝(8)に薄板(19)を張ることで室内外の珪藻土等の塗り壁下地が構成できると共にクロス貼り等の下地が構成できる。以上の如く構成された塗り壁下地の工法。
【発明の詳細な説明】
【技術分野】
【０００１】
本発明は、低層階で小規模な鉄筋コンクリート建物一棟の複数階の型枠組みを同時に終了させて、複数階連続でのコンクリートの注入を可能にした、コンクリート打ち込み型枠に関するものである。コンクリート打ち込み型枠と断熱材を用いてコンクリートの内外断熱壁を構築することができる。そのコンクリート打ち込み型枠が壁を仕上げるための下地胴縁となる。またコンクリート打ち込み型枠の溝加工の特性をいかすことにより建設作業を容易にした。複数階のコンクリートの連続注入を可能にしたコンクリート打ち込み型枠とコンクリート断熱壁工法により、工期の短縮、建設費の削減、品質の向上。産業廃棄物の削減等を可能にしたものである。
【背景技術】
【０００２】
従来の鉄筋コンクリートの建物は大小に関わらず一層階ごとに型枠組みをしてコンクリートを注入し、凝固乾燥後墨だしをして型枠組みをする。その工程を繰り返すので大変な工期と手間が掛かっている、また、コンクリート注入用型枠は、大半がベニヤ型枠で、補助桟等を使って現場で組み立てられている。その型枠は、コンクリート注入、凝固乾燥後に解体され、釘仕舞、ケレンされて倉庫に保管し再利用されている。解体された外壁の表面は、コンクリート打ち放し、コンクリート打ち放し下地吹付、タイル張り等いろいろな仕上げがされている。また、コンクリート面に、内外装材を張るために下地胴縁組みをして、内外装仕上げがなされているのが現状である。その胴縁組みの取り付けは、コンクリートボンド、コンクリート釘を利用してパッキン調整しながら施工される。大変幼稚で頼りない下地胴縁組みが大半である。また、コンクリートの結露防止と内部断熱として、断熱材を型枠として一部利用されている。しかし、外断熱の必要性が問われているにもかかわらず、仕上げの多様性もあり、これはと思われるものは開発されていないのが現状である。次に、コンクリート造りの建物での課題は、結露と断熱、そして、コンクリート表面の劣化とクラックであることは周知の通りである。コンクリートの建物の場合、サッシ取り付けは大変複雑で、コンクリートの躯体にサッシ取り付け用開口部を設けてサッシを取り付け溶接固定してコンクリートとサッシの間にトロ詰めをしてサッシの廻りにコーキングをしているが、サッシの取り付け手間と左官のトロ詰め費用は多額である。しかるに多額の費用を要しながらサッシ廻りからの漏水が多く発生しているのが現状である。また、コンクリートの建物の場合、電気配線をするために型枠組みと同時施工で、電気配線用空配管工事をして、コンクリートの中に打ち込んでいる。そのために配線工事とコンセントやスイッチBOXの取り付けは、木造建物の電気配線工事に比べて大変高くついている。そこで木造建物と同じように、コンクリート打設後に、既製住宅用サッシの取り付けと電気配線工事が容易にできる工法が強く望まれている。
【発明の開示】
【発明が解決しようとする課題】
【０００３】
現在、鉄筋コンクリートの住宅は災害に最も強く、自由な設計、施工が可能であるにも関わらず、あまり普及していない。その理由は建物の大小に関係なく一層階ごとの複雑な作業工程と工期の長さ、建築コストが高いことにある。本発明が解決しようとする課題を列記すれば、イ、従来の工法での一層階ごとの型枠組みと解体にかえて、建物全体の型枠組みを同時に実施することで、複数階のコンクリート連続注入を可能にするコンクリート打ち込み型枠の開発。ロ、コンクリートの建物は大小に関係なく、ビル用サッシを開口部に溶接、トロ詰めをして取り付けられているのが現状であるが工期と手間が多く掛かる。そこで既製住宅用サッシを利用して従来の木造建物のサッシ取り付けと同じ簡便なものにする。ハ、コンクリートの建物の場合、屋上の利用が容易に出来るが、防水をしなければならない。その防水工事を不要とする。ニ、従来、コンクリートの外壁は仕上げ材が限定されていた。それを解決する木造住宅用に開発された多くの内外装材が容易に利用出来る下地胴縁の構築。ホ、従来の電気配線はコンクリート内に空配管を付設して配線をしていたが、その工程を省き、コンクリートを注入後、電気配線工事が可能な躯体の構築。ヘ、コンクリートの建物は室内の結露と亀裂と漏水が生じることが欠点であるが、それらが生じない躯体の構築。ト、コンクリートの断熱工事は大切で、外断熱は特に要望が高い、その断熱壁の構築。チ、コンクリートの建物は仮設材を多く使用するため、仮設材の削減と産業廃棄物の減少を図る。本発明は、以上の課題を解決して大幅な建設費の削減と建設工期の短縮を可能にするものである。
【課題を解決するための手段】
【０００４】
課題を解決するための手段として、間伐材等の小径木を用いて凸溝加工した、溝加工部材(1)を複数組み合わせた型枠(2)、型枠(2)の溝にセパレーター孔(9)を複数設けた有孔型枠(3)、型枠(2)の一部にコンクリートを注入するためのコンクリート注入孔(6)を設けたコンクリート注入孔付き型枠(4)、有孔型枠(3)の一部にコンクリートの注入状況を確認することの出来る覗き窓(7)を設けた覗き窓付き型枠(5)を用意する。これらの型枠を適切に配置して、型枠取り合い部分はステーブル(18)で連結接続固定をし、補助材を用いて複数階の型枠を常法どおりセパレーター(10)、フォームタイ(11)、鋼管バタ(12)、鋼管バタ座金(13)で組み固定をする。その上で溝(8)を利用してステーブル(18)をもって型枠を貫通突出させて全ての型枠組みを終了する。そこで型枠に設けたコンクリート注入孔(6)からコンクリートを注入する。また、コンクリートの注入状況を確認するための型枠に設けた覗き窓からコンクリートの注入を確認することが大切である。同時にコンクリートの打ち継ぎを少なくするために、コンクリートの凝固を計測しつつ、複数階のコンクリートを連続注入して、凝固乾燥後に仮設材を解体すれば、それぞれの型枠はコンクリートと一体となり化粧型枠壁が形成できる。また、溝(8)の中に突出しているセパレーター(10)のネジ山に座金付きナット(15)で締め付けることで強固になる。その型枠は内外装仕上げの強固な下地胴縁となる、コンクリートが木製型枠で覆われることで、既製住宅用サッシが容易に取り付け出来ると共に造作工事が容易になる。型枠に設けられた溝(8)に薄板(19)を張ることで室内外の珪藻土等の塗り壁下地が構成できると共にクロス貼り等の下地が構成できる。仕上げをすることで溝(8)が通気孔となり仕上げ材及び型枠の保護空気層となると共に電気配線等のできる配線ダクトとなる。木材は熱伝導率が低いためコンクリート打ち込み型枠が室内外の軽微な断熱壁を形成する。外壁の型枠のコンクリート面に断熱材(20)を付け加えて張ることで寒冷地にも対応できる外断熱壁が構築できる。以上、本発明は課題を解決して大幅な建設費の削減と工期の短縮を可能にするものである。
【発明の効果】
【０００５】
本発明は、低層階で小規模の鉄筋コンクリートの建物を想定して開発したもので、複数階の型枠組みを一回で全て終了させて、複数階連続でコンクリートの注入をすることで、コンクリートの打ち継ぎを設けない躯体が構築できる。コンクリートの打ち継ぎを設けないことで、屋上等の防水工事を必要としない躯体が構築できるとともに、打ち継ぎからの漏水が防止できるし打ち継ぎのコーキングも不要である。型枠はコンクリート打ち込み型枠であるため、コンクリートの保護材となり、型枠は木製であり熱伝導率が低いためコンクリートと一体になることで室内外の軽微な断熱壁となる。また、外部型枠のコンクリート面に断熱材を付け加えて張ることで寒冷地にも対応できる外断熱壁が構築できる。コンクリート打ち込み型枠はコンクリートと一体となることで強固な下地胴縁となり、市場に出ている多くの内外装材が選択利用でき、木造建築の造作と同等以上の施工の容易さと、既製住宅用サッシの利用と取り付けが容易となる。型枠に溝を設けることで内外装仕上げをすれば溝は通気孔となるし、型枠及び仕上げ材の保護通気孔となり断熱効果を高めることが出来る。その上溝を利用して電気配線が出来るので電気配線工事は大変容易になる。型枠を打ち込むことでコンクリート表面の劣化防止とコンクリートの保護となる。コンクリート打ち込み型枠にすることで型枠の解体、ケレン、釘仕舞、運搬、保管等全て不要となり、産業廃棄物の削減ができる。コンクリートの養生期間の短縮と複雑な工程も特別な技術者も必要なく施工が容易になる。コンクリート打ち込み型枠は組み固めることで強度が高くなり、縦の鋼管バタは不要で仮設材の大幅な削減となる。以上、本発明は建設作業を容易にし、工期の短縮、建設費の削減、品質の向上、産業廃棄物の削減を可能にするものである。
【発明を実施するための最良の形態】
【０００６】
本発明は低層階で小規模の鉄筋コンクリートの建物に適合させるもので、間伐材等の小径木を用いて凸溝加工した、溝加工部材(1)を複数組み合わせた型枠(2)、型枠(2)の中央の溝(8)にセパレーター孔(9)を複数設けた有孔型枠(3)、型枠(2)の一部にコンクリートを注入するためのコンクリート注入孔(6)を設けたコンクリート注入孔付き型枠(4)、有孔型枠(3)の一部にコンクリートの注入状況を確認することの出来る覗き窓(7)を設けた覗き窓付き型枠(5)を使用する。これらの型枠を工場等にて加工して現場で組み建て固定をして複数階全ての型枠組みを終了後、コンクリート注入孔(6)からコンクリート(14)を注入する。また、コンクリート(14)の注入状況を覗き窓(7)で確認しながら注入することが大切であり、同時にコンクリート(14)の打ち継ぎを少なくするためにコンクリート(14)の凝固を計測しつつ複数階のコンクリート(14)を連続注入する。凝固乾燥後に仮設材を解体すれば、それぞれの型枠はコンクリート(14)と一体の化粧板壁となる。そのコンクリート打ち込み型枠は仕上げ材の強固な下地胴縁となり、多種多様な室内外の壁仕上げが可能となる。仕上げをすることで溝は空気層を形成すると共に電気配線ダクト等の作業効率を高める。溝加工部材(1)は型枠を構成するのみならず間仕切り材等の多目的な利用が可能である。
【実施例１】
【０００７】
図1は、本発明のコンクリート打ち込み型枠の組み立てをわかり易くするための、立体的な組み立て図である。
【図面の簡単な説明】
【０００８】
【図１】本発明の型枠組み立体図である。(実施例1)
【図２】本発明の型枠組み断面図で実施方法を示した説明図である。
【図３】図2に断熱材を付け加えた実施方法をしめした説明図である。
【図４】図2より仮設材を除き内外仕上げ材を付け加えた説明図である。
【図５】図3より仮説材を除き内外仕上げ材を付け加えた説明図である。
【図６】図2より仮説材を除き溝に薄い板を張って塗り仕上げをした説明図である。
【図７】図6に断熱材を付け加えた説明図である。
【図８】溝加工した部材を複数組合した型枠の姿図である。
【図９】図8の中央の溝に複数のセパレーター孔を設けた型枠の姿図である。
【図１０】図9の一部にコンクリート注入孔を設けた型枠の姿図である。
【図１１】図8の一部にコンクリート注入状況確認孔を設けた型枠の姿図である。
【符号の説明】
【０００９】
溝加工部材
型枠
有孔型枠
コンクリート注入孔付き型枠
覗き窓付き型枠
コンクリート注入孔
覗き窓
溝
セパレーター孔
セパレーター
フォームタイ
鋼管バタ
鋼管バタ座金
コンクリート
座金付きナット
外装材
内装材
ステーブル
薄板
断熱材
塗り壁
【図１】
2005036631.tif 000003
【図２】
2005036631.tif 000004
【図３】
2005036631.tif 000005
【図４】
2005036631.tif 000006
【図５】
2005036631.tif 000007
【図６】
2005036631.tif 000008
【図７】
2005036631.tif 000009
【図８】
2005036631.tif 000010
【図９】
2005036631.tif 000011
【図１０】
2005036631.tif 000012
【図１１】
2005036631.tif 000013